(57)【要約】【課題】振動板を振動しやすくするとともにノイズを抑制することができるヘッドホンを提供する。【解決手段】第１孔部Ａ１によって外部と一方の空間Ｓ１とが接続されるとともに第２孔部Ａ２によって他方の空間Ｓ２と一方の空間Ｓ１とが接続され、スピーカユニットが一方の空間Ｓ１を後方側の空間として利用することで、振動板が振動しやすくなる。また、略直交する壁部６１３Ａ、６１３Ｂと、第１底壁部６１１Ａ、６１１Ｂに、それぞれ、第１孔部Ａ１と、第２孔部Ａ２を形成することで、外部から第１孔部Ａ１を通過して一方の空間Ｓ１に侵入した音波が第２孔部Ａ２に直接到達しにくく、この音波を他方の空間Ｓ２に侵入しにくくしてノイズを抑制することができる。【選択図】図２
2018170811.tif 000002
【特許請求の範囲】
【請求項１】
一対のスピーカユニットが配置されたイヤカップと、
前記一対のイヤカップを連結するヘッドバンドと、を備え、
前記イヤカップは、装着者側の第１の空間と、反装着者側の第２の空間とを区画する隔壁部を有し、
前記隔壁部には、前記第１の空間と前記第２の空間を連通する第１の孔部が形成され、
前記第２の空間を構成する壁部は、前記隔壁部に略直交する第１の壁部を含み、
前記第１の壁部には前記第２の空間と外部とを連通する第２の孔部が形成されていることを特徴とするヘッドホン。
【請求項２】
前記第２の空間を構成する壁部は、さらに、前記隔壁部に対向する第２の壁部を含むことを特徴とする請求項１に記載のヘッドホン。
【請求項３】
前記第２の空間を構成する壁部は、さらに、前記第１の壁部に対向し、湾曲形状を有する第３の壁部を含むことを特徴とする請求項２に記載のヘッドホン。
【請求項４】
前記第２の空間を構成する壁部は、さらに、前記隔壁部、前記第１の壁部、前記第２の壁部、および前記第３の壁部に略直交する第４の壁部と、該第４の壁部に対向する第５の壁部とを有し、
前記第１の壁部と前記第３の壁部との間隔は、前記第４の壁部と前記第５の壁部との間隔よりも大きくなるように形成されていることを特徴とする請求項３に記載のヘッドホン。
【請求項５】
前記第２の孔部は、装着した際の前記ヘッドバンドの延在方向を上下方向として、前記第１の壁部に上下方向に開口するように形成されることを特徴とする請求項１〜４のいずれか１項に記載のヘッドホン。
【請求項６】
前記スピーカユニットは、前記第１の空間に配置されていることを特徴とする請求項１〜５のいずれか１項に記載のヘッドホン。
【請求項７】
前記第２の孔部の大きさは、前記第１の孔部よりも小さいことを特徴とする請求項１〜６のいずれか１項に記載のヘッドホン。
【請求項８】
前記第１の孔部及び前記第２の孔部は、複数形成されており、
複数の前記第１の孔部の大きさの合計は、複数の前記第２の孔部の大きさの合計と略等しいことを特徴とする請求項１〜７のいずれか１項に記載のヘッドホン。
【請求項９】
前記隔壁部は、前記第１の空間と複数の前記第２の空間との間を区画し、
前記第１の孔部は、前記第１の空間と複数の前記第２の空間との間をそれぞれ連通する複数の孔部を含むことを特徴とする請求項１〜８のいずれか１項に記載のヘッドホン。
【発明の詳細な説明】
【技術分野】
【０００１】
本発明は、ヘッドホンに関する。
【背景技術】
【０００２】
従来、ヘッドホン本体（イヤカップ）のハウジングに操作用ツマミが取り付けられることにより、ハウジング内の第１の空間と、ハウジングと操作用ツマミとの間の第２の空間と、が形成されるとともに、２つの空間を接続可能な孔がハウジングに形成され、第２の空間と外部とを接続する孔が操作用ツマミに形成されたヘッドホンが提案されている（例えば、特許文献１参照）。特許文献１に記載された従来のヘッドホンでは、操作用ツマミを回動させて第１の空間と第２の空間とを接続する孔の開口度合いを大きくしていくと、第１の空間に収容されたスピーカユニットは、外部に接続された第２の空間を後方側の空間として利用することができるようになり、振動板が振動しやすくなって音質が変化する。
【先行技術文献】
【特許文献】
【０００３】
【特許文献１】実用新案登録第３１０７７１８号公報
【発明の概要】
【発明が解決しようとする課題】
【０００４】
しかしながら、特許文献１に記載された従来のヘッドホンでは、ハウジングの孔と操作用ツマミの孔とが対向配置されるため、操作用ツマミの孔を通過して外部から第２の空間に侵入した音波が、さらにハウジングの孔を通過して第１の空間に侵入してしまうことがあり、ノイズとなってしまう可能性がある。
【０００５】
したがって、本発明の課題は、ノイズを抑制することができるヘッドホンを提供することが一例として挙げられる。
【課題を解決するための手段】
【０００６】
前述した課題を解決し目的を達成するために、請求項１に記載の本発明のヘッドホンは、一対のスピーカユニットが配置されたイヤカップと、前記一対のイヤカップを連結するヘッドバンドと、を備え、前記イヤカップは、装着者側の第１の空間と、反装着者側の第２の空間とを区画する隔壁部を有し、前記隔壁部には、前記第１の空間と前記第２の空間を連通する第１の孔部が形成され、前記第２の空間を構成する壁部は、前記隔壁部に略直交する第１の壁部を有し、前記第１の壁部には該第２の空間と外部とを連通する第２の孔部が形成されていることを特徴としている。
【図面の簡単な説明】
【０００７】
【図１】本発明の実施例に係るヘッドホン全体を示す斜視図である。
【図２】前記ヘッドホンのイヤカップを示す分解斜視図である。
【図３】前記イヤカップを示す分解斜視図である。
【図４】前記イヤカップのＸ−Ｘ断面図である。
【図５】前記ヘッドホンのヘッドバンドによる前記イヤカップの支持構造を示す側面図である。
【発明を実施するための形態】
【０００８】
以下、本発明の実施形態を説明する。本発明の実施形態に係るヘッドホンは、一対のイヤカップと、一対のイヤカップを連結するヘッドバンドと、を備え、イヤカップの内側には、２つの空間が形成され、２つの空間のうち一方の空間を囲む壁部には、角部、一方の空間と外部とを接続する第１孔部、及び、他方の空間と一方の空間とを接続する第２孔部が形成され、第１孔部及び第２孔部の間に角部が設けられるか、又は、第１孔部及び第２孔部のうち一方が角部に形成されるとともに他方が角部及び一方と異なる位置に設けられる。また、イヤカップは、耳当て部、スピーカユニット、及び、スピーカユニットを収容するハウジングを有している。
【０００９】
２つの空間のうち一方の空間が外部に接続され、２つの空間が互いに接続されていることで、他方の空間にスピーカユニットを配置することにより、スピーカユニットがこの２つの空間を後方側の空間として利用し、振動板を振動させやすくすることができる。また、第１孔部と第２孔部との間に角部が設けられるか、又は、第１孔部及び第２孔部のうち一方が角部に形成されるとともに他方が角部及び一方と異なる位置に設けられることで、第１孔部を通過して外部から一方の空間に侵入して直進する音波が第２孔部に直接到達しにくく、この音波を他方の空間に侵入しにくくしてノイズを抑制することができる。
【００１０】
壁部のうち第１孔部と対向する面が湾曲形状を有していることが好ましい。それにより、第１孔部を通過して外部から一方の空間に侵入した音波は、湾曲した面によって様々な方向に向けて反射される。外部から侵入した音波が第２孔部Ａ２に到達してしまっても、それまでに反射によって進行する距離が長くなることで減衰しやすくなり、ノイズを低減することができる。尚、第１孔部と対向する面は、第１孔部に向かって凸に湾曲していることがより好ましく、このような構成によれば、音波がこの湾曲面によって拡散されるように反射され、ノイズをさらに低減することができる。
【００１１】
壁部は、第１孔部が形成された面とその対向面とで構成される第１面対と、第２孔部が形成された面とその対向面とで構成される第２面対と、第１面対及び第２面対に交差する第３面対と、を備え、第１面対間の距離が第３面対間の距離よりも長いことが好ましい。それにより、第１孔部を有する第１面対間の距離が比較的長いことで、この面対間で反射される音波の進行距離を長くして減衰しやすくし、この音波が第２孔部に到達してしまってもノイズを低減することができる。尚、このような構成において上記のように第１孔部との対向面が湾曲形状を有する場合、この対向面は、第３面対にその表面を向けるように湾曲することがより好ましい。このような構成によれば、一方の空間に侵入した音波は、孔部の形成されない第３面対間で反射されつつ第１面対間で往復するように反射されて減衰しやすくなり、ノイズをより一層低減することができる。
【００１２】
イヤカップは、ヘッドバンドに連結される連結部を備え、一方の空間は、連結部の内側に形成され、第１孔部は、壁部のうち、ヘッドバンドの延在方向における連結部よりもヘッドバンド側の面と、その反対側の面と、のうち少なくとも一方に形成されていることが好ましい。それにより、ヘッドバンドが装着者の頭上に位置するようにヘッドホンを装着すると、第１孔部が上下方向に開口する。外部において上下方向に進行する音波は発生しにくいことから、外部から一方の空間に音波を侵入しにくくすることができる。さらに、第１孔部がヘッドバンド側の面に形成されるとともにヘッドバンドが第１孔部と対向する部分を有していれば、この対向する部分によって第１孔部を保護し、一方の空間への音波の侵入をさらに抑制することができる。
【００１３】
スピーカユニットは、他方の空間に設けられ、スピーカユニットの音放射側の反対側に位置する他方の空間の一部と、一方の空間と、が第２孔部によって接続されていることが好ましい。それにより、スピーカユニットが、他方の空間の一部と一方の空間とを音放射側の反対側の空間として利用することができる。
【実施例】
【００１４】
以下、本発明の実施例について具体的に説明する。図１は、本発明の実施例に係るヘッドホン１全体を示す斜視図であり、図２、３は、イヤカップ２Ａを示す分解斜視図であり、図４は、イヤカップ２ＡのＸ−Ｘ断面図であり、図５は、ヘッドバンド３によるイヤカップ２Ａの支持構造を示す側面図である。
【００１５】
ヘッドホン１は、左右一対のイヤカップ２Ａ、２Ｂと、一対のイヤカップ２Ａ、２Ｂ同士を連結するヘッドバンド３と、一対のイヤカップ２Ａ、２Ｂ間に亘って設けられるコード部４と、回動部材８と、を備える。
【００１６】
左耳用のイヤカップ２Ａと右耳用のイヤカップ２Ｂとは、左右略対称な形状を有するとともに略同一の構成を有しており、本実施形態では左耳用のイヤカップ２Ａについて説明する。イヤカップ２Ａは、図２、３に示すように、クッション５と、図示しないスピーカユニットと、スピーカユニットを収容するハウジング６と、備える。また、左耳用のイヤカップ２Ａには、スピーカユニットに信号を送信するコード部７が接続され、この信号がコード部４を介して右耳用のイヤカップ２Ｂのスピーカユニットに送信される。
【００１７】
クッション５は、スポンジ等のクッション部材が合成皮革等の被覆部材で覆われて円環状に形成され、ハウジング６の装着者側に取り付けられる。クッション５は、後述するハウジング本体６１と内側蓋部６２とによって表面部材の一部が挟み込まれることによってハウジング６に取り付けられるものとするが、接着剤や両面テープ等を用いて取り付けられてもよい。
【００１８】
ハウジング６は、ハウジング本体６１と、ハウジング本体６１の装着者側に固定される内側蓋部６２と、ハウジング本体６１の装着者と反対側に固定される外側蓋部６３と、外側蓋部６３を覆うカバー部６４と、を備える。
【００１９】
ハウジング本体６１は、例えば樹脂によって全体が一体に形成され、装着者の耳や側頭部と略平行になる円盤状の外面部６１１と、外面部６１１の外周に沿って装着者側に立設された内側立設壁６１２と、外面部６１１から装着者と反対側に立設された外側立設壁６１３と、内側蓋部６２を固定するための固定部６１４と、外側蓋部６３を固定するための固定部６１５と、外側立設壁６１３の内側において外面部６１１から装着者と反対側に立設された連結用立設部６１６と、を有する。
【００２０】
外側立設壁６１３は、連結用立設部６１６よりもヘッドバンド３の延在方向におけるヘッドバンド３側（図２における上側）の第１壁部６１３Ａと、連結用立設部６１６を挟んで第１壁部６１３Ａの反対側（図２における下側）の第２壁部６１３Ｂと、第１壁部６１３Ａと第２壁部６１３Ｂとの間においてヘッドバンド３の延在方向に沿って延びる第３壁部６１３Ｃ及び第４壁部６１３Ｄと、で構成される。
【００２１】
第１壁部６１３Ａ及び第２壁部６１３Ｂには、貫通孔である複数の第１孔部Ａ１がそれぞれ形成されている。
【００２２】
連結用立設部６１６は、第１壁部６１３Ａと第２壁部６１３Ｂとの間の略中央部に形成され、第３壁部６１３Ｃと第４壁部６１３Ｄとの間に亘って形成されて第１壁部６１３Ａに対向する第５壁部６１６Ａと、第３壁部６１３Ｃと第４壁部６１３Ｄとの間に亘って形成されて第２壁部６１３Ｂに対向する第６壁部６１６Ｂと、を有するとともに、後述する回動部材８を収容する凹部６１６Ｃが形成されている。第５壁部６１６Ａ及び第６壁部６１６Ｂは、その表面を第３壁部６１３Ｃ及び第４壁部６１３Ｄに向けるように第１孔部Ａ１に向かって凸の湾曲形状を有する。
【００２３】
外面部６１１のうち、第１壁部６１３Ａと第３壁部６１３Ｃと第４壁部６１３Ｄと第５壁部６１６Ａとで囲まれた部分が第１底壁部６１１Ａとなり、第２壁部６１３Ｂと第３壁部６１３Ｃと第４壁部６１３Ｄと第６壁部６１６Ｂとで囲まれた部分が第２底壁部６１１Ｂとなる。第１底壁部６１１Ａ及び第２底壁部６１１Ｂには、貫通孔である複数の第２孔部Ａ２がそれぞれ形成されている。第２孔部Ａ２は、それぞれ、第５壁部６１６Ａ及び第６壁部６１６Ｂから離れた位置に配置される。
【００２４】
これらの壁部の間には、それぞれ角部が形成される。即ち、第１底壁部６１１Ａと第１壁部６１３Ａ、第３壁部６１３Ｃ、第４壁部６１３Ｄ、第５壁部６１６Ａとの間には、順に、第１角部６１７Ａ、第２角部６１７Ｂ、第３角部６１７Ｃ、第４角部６１７Ｄが形成される。また、第２底壁部６１１Ｂと第２壁部６１３Ｂ、第３壁部６１３Ｃ、第４壁部６１３Ｄ、第６壁部６１６Ｂとの間には、順に、第５角部６１７Ｅ、第６角部６１７Ｆ、第７角部６１７Ｇ、第８角部６１７Ｈが形成される。さらに、第１壁部６１３Ａと、第３壁部６１３Ｃ、第４壁部６１３Ｄと、の間には、順に、第９角部６１７Ｉ、第１０角部６１７Ｊが形成され、第５壁部６１６Ａと、第３壁部６１３Ｃ、第４壁部６１３Ｄと、の間には、順に、第１１角部６１７Ｋ、第１２角部６１７Ｌが形成される。さらに、第１壁部６１３Ｂと、第３壁部６１３Ｃ、第４壁部６１３Ｄと、の間には、順に、第１３角部６１７Ｍ、第１４角部６１７Ｎが形成され、第６壁部６１６Ｂと、第３壁部６１３Ｃ、第４壁部６１３Ｄと、の間には、順に、第１５角部６１７Ｏ、第１６角部６１７Ｐが形成される。
【００２５】
以上のような第１孔部Ａ１及び第２孔部Ａ２は、それぞれ、第１角部６１７Ａ及び第５角部６１７Ｅを挟んで設けられ、第１孔部Ａ１が形成された第１壁部６１３Ａと第２孔部Ａ２が形成された第１底壁部６１１Ａとが略直交し、第１孔部Ａ１が形成された第２壁部６１３Ｂと第２孔部Ａ２が形成された第２底壁部６１１Ｂとが略直交する。
【００２６】
第１孔部Ａ１の大きさは、第２孔部Ａ２の大きさよりも小さく形成されている。これにより、第２孔部Ａ２よりも第１孔部Ａ１の方がより大きい空気抵抗（空気が孔を通過するための抵抗）を有するので、外部から音のうち特に中高域の音波が第１孔部Ａ１を通過する際に減衰しやすくなり、外部から後述する一方の空間Ｓ１に侵入する音（ノイズ）を低減することができる。
【００２７】
複数の第１孔部Ａ１の大きさの合計は、複数の第２孔部Ａ２の大きさの合計と略等しく設定されている。これにより、後述するように他方の空間Ｓ２に設けられたスピーカユニットが音を放射する際に、振動板の後方側における空気が流動しやすく、振動板を動きやすくして低域の音圧を向上させることができる。
【００２８】
内側蓋部６２は、例えば樹脂によって板状に形成され、音波が通過可能な複数の孔と、ハウジング本体６１の固定部６１４に固定するための図示しないビスが挿通される挿通孔６２１と、を有する。
【００２９】
外側蓋部６３は、例えば樹脂によって板状に形成され、固定部６１５に固定するためのビス９が挿通される挿通孔６３１と、連結用立設部６１６の凹部６１６Ｃとの間に回動部材８を挟み込む挟持部６３２と、を有する。外側蓋部６３のうち、第１底壁部６１１Ａに対向する部分が第１天壁部６３Ａとなり、第２底壁部６１１Ｂに対向する部分が第２天壁部６３Ｂとなる。
【００３０】
カバー部６４は、例えば樹脂によって板状に形成され、その表面に適宜な意匠が形成されるとともに接着剤や両面テープ等によって外側蓋部６３を覆うように固定される。
【００３１】
以上のようなハウジング６では、第１壁部６１３Ａと第５壁部６１６Ａと、及び、第２壁部６１３Ｂと第６壁部６１６Ｂとがそれぞれ第１面対を構成し、第１底壁部６１１Ａと第１天壁部６３Ａと、及び、第２底壁部６１１Ｂと第２天壁部６３Ｂとがそれぞれ第２面対を構成し、第３壁部６１３Ｃと第４壁部６１３Ｄとが第３面対を構成する。ハウジング本体６１に外側蓋部６３が固定されると、図４に断面して示すように、第１面対と第２面対と第３面対とによって、２つの一方空間Ｓ１が形成される。また、第１面対間の距離は、第３面対間の距離よりも大きくなっている。また、外面部６１１及び連結用立設部６１６よりも装着者側に他方の空間Ｓ２が形成される。
【００３２】
イヤカップ２Ａのスピーカユニットは、他方の空間Ｓ２に設けられ、装着者側を前方側として音を放射するように振動板を振動させる。放射された音波は、内側蓋部６２の孔及びクッション５の内側を通過して装着者の耳に到達する。また、スピーカユニットは、クッション５の内側の空間を前方側の空間として利用し、他方の空間Ｓ２の一部（スピーカユニットから見て装着者と反対側の空間）と、第２孔部Ａ２によって他方の空間Ｓ２に接続された２つの一方の空間Ｓ１と、を後方側の空間として利用する。
【００３３】
ヘッドバンド３は、装着された際に装着者の頭上に位置するヘッドバンド本体３１と、一対のイヤカップ２Ａ、２Ｂのそれぞれを支持する支持部材３２と、ヘッドバンド本体３１と支持部材３２とを連結する連結部３３と、装着者の頭部に当接する当接バンド部３４と、を備える。
【００３４】
ヘッドバンド本体３１は、例えばアルミニウムやステンレス等の金属によって前方から見て湾曲形状に形成され、装着者の頭部の大きさに合わせて撓み変形可能に構成されている。
【００３５】
支持部材３２は、例えばアルミニウムやステンレス等の金属によって形成されるとともに、連結部３３側の端部を基端として分岐部３２１から二股に延びる第１挟持部３２２と第２挟持部３２３とを備える。分岐部３２１には、イヤカップ２Ａを支持した際に第１壁部６１３Ａに対向可能な対向部３２４が形成されている。
【００３６】
当接バンド部３４は、例えば、人工皮革等で形成された表面部材と、表面部材で覆われるとともに平らなゴム部材で形成された弾性部材と、を備える。弾性部材が連結部３３に固定されることで、装着者の頭部の大きさに合わせて表面部材がヘッドバンド本体に近づくようにゴム部材が弾性変形することができる。また、表面部材の内側には左右のイヤカップ２Ａ、２Ｂのスピーカユニット同士を接続するコード部４が挿通される。
【００３７】
回動部材８は、例えば樹脂によって全体が一体に形成され、図２、５に示すように、支持部材３２の挟持部３２２、３２３の先端部３２２Ａ、３２３Ａを係止する係止溝８１と、凸部８２と、を有する。
【００３８】
次に、支持部材３２によるイヤカップ２Ａの支持方法及び支持構造について説明する。まず、２つの回動部材８の係止溝８１によって挟持部３２２、３２３の先端部３２２Ａ、３２３Ａをそれぞれ係止する。これらの回動部材８を凹部６１６Ｃに収容し、外側蓋部６３をハウジング本体６１に固定することで、凹部６１６Ｃと挟持部６３２とによって回動部材８が回動可能に挟持される。このように、連結用立設部６１６と、これを囲む第１〜第４壁部６１３Ａ〜６１３Ｄと、外側蓋部６３と、がヘッドバンド３とイヤカップ２Ａとを連結する連結部として機能し、一方の空間Ｓ１は連結部の内側に形成されている。
【００３９】
このような凹部６１６Ｃにおいて、図５中上下方向に対向する上面６１６Ｄと下面６１６Ｅとの間隔は、回動部材８の凸部８２の幅寸法（上下方向寸法）よりも大きく形成されている。従って、回動部材８は、図５（Ａ）に示すように凸部８２が下面６１６Ｅに当接した状態から、図５（Ｂ）に示すように凸部８２が上面６１６Ｄに当接した状態まで回動可能に構成される。即ち、凹部６１６Ｃの内面と凸部８２とによって回動部材８の回動が所定の範囲内に規制される。
【００４０】
次に、回動部材８が回動する際の支持部材３２とハウジング６との位置関係について説明する。図５（Ａ）に示すように回動部材８の凸部８２が下面６１６Ｅに当接する場合、凸部８２が上面６１６Ｄと下面６１６Ｅとの中間位置に位置する場合よりも、支持部材３２の挟持部３２２、３２３は、ハウジング本体６１の外面部６１１の近くに位置して略平行となり、対向部３２４が第１壁部６１３Ａに対向して第１孔部Ａ１を覆うように位置づけられる。凸部８２が下面６１６Ｅから離れていくと、挟持部３２２、３２３が外面部６１１に対して傾斜していき、対向部３２４が第１孔部Ａ１から離れていく。
【００４１】
上記の構成により、スピーカユニットが外部に接続された一方の空間Ｓ１を後方側の空間として利用することで、振動板を振動させやすくすることができる。また、第１孔部Ａ１と第２孔部Ａ２とが互いに略直交する壁部に形成され、その間に角部６１７Ａ、６１７Ｅが形成されていることで、外部から第１孔部Ａ１を通過して一方の空間Ｓ１に侵入した音波が第２孔部Ａ２に直接到達しにくく、この音波を他方の空間Ｓ２に侵入しにくくしてノイズを抑制することができる。
【００４２】
また、第５壁部６１６Ａ及び第６壁部６１６Ｂが第１孔部Ａ１に向かって凸の湾曲形状を有していることで、第１孔部Ａ１を通過して外部から一方の空間Ｓ１に侵入した音波を拡散するように反射することができる。外部から侵入した音波が第２孔部Ａ２に到達してしまっても、それまでに反射によって進行する距離が長くなることで減衰しやすくなり、ノイズを低減することができる。
【００４３】
また、第１孔部Ａ１を有する第１面対間の距離が比較的長いことで、この面対間で反射される音波の進行距離が長くなって減衰しやすくなり、この音波が第２孔部Ａ２に到達してしまっても、ノイズを低減することができる。さらに、第１面対を構成する第５壁部６１６Ａ及び第６壁部６１６Ｂが表面を第３壁部６１３Ｃ及び第４壁部６１３Ｄ（即ち、第３面対）に向けた湾曲形状を有することで、一方の空間Ｓ１に侵入した音波は、孔部の形成されない第３面対間で反射されつつ第１面対間で往復するように反射されて減衰しやすくなり、ノイズをより一層低減することができる。
【００４４】
また、第１孔部Ａ１がヘッドバンド３の延在方向におけるヘッドバンド３側の第１壁部６１３Ａと、その反対側の第２壁部６１３Ｂとに形成されていることで、装着者がヘッドホン１を装着すると第１孔部Ａ１が上下方向に開口する。外部において上下方向に進行する音波は発生しにくいことから、外部から一方の空間Ｓ１に音波を侵入しにくくすることができる。
【００４５】
また、ヘッドバンド３の支持部材３２が、第１壁部６１３Ａに対向して第１孔部Ａ１を覆うことができる対向部３２４を有していることで、対向部３２４によって第１孔部Ａ１を保護し、一方の空間Ｓ１への音波の侵入をさらに抑制することができる。このとき、回動部材８の回動が所定の範囲内に規制されていることで、対向部３２４が第１孔部Ａ１から離れすぎないようにすることができ、対向部３２４による第１孔部Ａ１の保護機能を低減しにくくすることができる。
【００４６】
なお、本発明は、前記実施例に限定されるものではなく、本発明の目的が達成できる他の構成等を含み、以下に示すような変形等も本発明に含まれる。
【００４７】
例えば、前記実施例では、第１孔部Ａ１と第２孔部Ａ２とが互いに略直交する壁部に形成され、その間に角部６１７Ａ、６１７Ｅが形成されるものとしたが、第１孔部Ａ１と第２孔部Ａ２とは、適宜な角度を有して交差する２つの壁部のそれぞれに形成されていればよく、これらの壁部の間に角部が形成されていればよい。また、複数の壁部が交差する角部に第１孔部Ａ１と第２孔部Ａ２とのうち一方が形成され、他方が壁部のうち角部とは異なる位置に形成されてもよい。また、第１孔部Ａ１と第２孔部Ａ２とが滑らかな角部を有して連続した１つの壁部に形成されていてもよく、例えば一方の空間が球状の壁部に囲まれ、この球の任意の二箇所に第１孔部Ａ１と第２孔部Ａ２とが形成されてもよい。以上のような第１孔部Ａ１と第２孔部Ａ２との間の角部は、合計角度が１８０°以外となっている、即ち、第１孔部Ａ１が形成された部分の延長面と、第２孔部Ａ２が形成された部分の延長面と、が互いに交差すればよい。
【００４８】
また、前記実施例では、第１底壁部６１１Ａ及び第２底壁部６１１Ｂが平坦であるものとしたが、第１底壁部６１１Ａ及び第２底壁部６１１Ｂは、後方（即ち、外側蓋部６３側）に向かって凸に湾曲した形状としてもよい。このように第１底壁部６１１Ａ及び第２底壁部６１１Ｂを湾曲させることで、第１孔部Ａ１から侵入した音波を拡散し、一方の空間Ｓ１内で音波を充分に減衰することができる。また、第５壁部６１６Ａ及び第６壁部６１６Ｂが第１孔部Ａ１に向かって凸に湾曲するものとしたが、第５壁部６１６Ａ及び第６壁部６１６Ｂは、凹に湾曲していてもよい。また、第５壁部６１６Ａ及び第６壁部６１６Ｂの表面に、例えば音波を乱反射する微細な凹凸が形成されてもよいし、吸音材が設けられてもよく、このように第１孔部Ａ１から侵入した音波を充分に拡散したり吸音したりする構成や、音波が一方の空間Ｓ１内で充分に減衰する構成であれば、第１孔部Ａ１に対向する壁部は湾曲していなくてもよい。
【００４９】
また、前記実施例では、第１面対間の距離が第３面対間の距離よりも大きいものとしたが、第１面対間の距離は、第１孔部Ａ１から侵入した音波が一方の空間Ｓ１内で充分に減衰するように適宜に設定されればよく、第３面対間の距離との大小は適宜に設定されればよい。
【００５０】
また、前記実施例における第３面対は、平板状であってもよいし、曲面状に形成されていても構わない。曲面状に形成されている場合には、第１孔部Ａ１から侵入した音波を一方の空間Ｓ１内で拡散及び減衰させることができる。
【００５１】
また、前記実施例では、第１孔部Ａ１がヘッドバンド３の延在方向におけるヘッドバンド３側の第１壁部６１３Ａと、その反対側の第２壁部６１３Ｂと、に形成され、装着時に上下方向に開口するものとしたが、１つの連続した一方の空間が形成される場合、第１孔部Ａ１はこれらの壁部のうちいずれか一方に形成されてもよい。また、音波が一方の空間Ｓ１内で充分に減衰する構成や、音波が他方の空間Ｓ２に充分に侵入しにくい構成であれば、第１孔部Ａ１の開口方向は適宜に設定されてもよい。
【００５２】
また、前記実施例では、ヘッドバンド３の支持部材３２が対向部３２４を有するとともに、回動部材８の回動が所定の範囲内に規制されるものとしたが、外部から第１孔部Ａ１に音波が侵入しにくく構成されていれば、対向部３２４は省略されていてもよいし、回動部材８の回動が規制されていなくてもよい。
【００５３】
また、前記実施例では、イヤカップ２Ａとヘッドバンド３とを連結する連結部の内側に一方の空間Ｓ１が形成されるものとしたが、連結部は一方の空間Ｓ１から離れた位置に設けられてもよく、これらの相対位置は適宜に設定されればよい。
【００５４】
また、ヘッドバンド３は頭部に装着されるバンドとしたが、首に装着するネックバンドであっても構わなく、すなわち一対のイヤカップ２Ａ、２Ｂを連結するバンドであればよい。
【００５５】
なお、確認事項として上述した実施の形態から抽出される特徴について記載する。
【００５６】
[ヘッドホン１]
一対のイヤカップと、
前記一対のイヤカップを連結するヘッドバンドと、を備え、
前記イヤカップの内側には、２つの空間が形成され、
前記２つの空間のうち一方の空間を囲む壁部には、角部、当該一方の空間と外部とを接続する第１孔部、及び、他方の空間と前記一方の空間とを接続する第２孔部が形成され、
前記第１孔部及び前記第２孔部の間に前記角部が設けられるか、又は、前記第１孔部及び前記第２孔部のうち一方が前記角部に形成されるとともに他方が該角部及び該一方と異なる位置に設けられることを特徴とするヘッドホン。
【００５７】
[ヘッドホン２]
上記ヘッドホン１において、
前記壁部のうち前記第１孔部と対向する面が湾曲形状を有していることを特徴とする。
【００５８】
[ヘッドホン３]
上記ヘッドホン１又は２において、
前記壁部は、前記第１孔部が形成された面とその対向面とで構成される第１面対と、前記第２孔部が形成された面とその対向面とで構成される第２面対と、該第１面対及び該第２面対に交差する第３面対と、を備え、
前記第１面対間の距離が前記第３面対間の距離よりも長いことを特徴とする。
【００５９】
[ヘッドホン４]
上記ヘッドホン１〜３のいずれかにおいて、
前記イヤカップは、前記ヘッドバンドに連結される連結部を備え、
前記一方の空間は、前記連結部の内側に形成され、
前記第１孔部は、前記壁部のうち、前記ヘッドバンドの延在方向における前記連結部よりも該ヘッドバンド側の面と、その反対側の面と、のうち少なくとも一方に形成されていることを特徴とする。
【００６０】
[ヘッドホン５]
上記ヘッドホン１〜４のいずれかにおいて、
前記スピーカユニットは、前記他方の空間に設けられ、
前記スピーカユニットの音放射側の反対側に位置する前記他方の空間の一部と、前記一方の空間と、が前記第２孔部によって接続されていることを特徴とする。
【００６１】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００６２】
１ ヘッドホン
２Ａ、２Ｂ イヤカップ
３ ヘッドバンド
５ クッション
６ ハウジング
Ａ１ 第１孔部
Ａ２ 第２孔部
Ｓ１ 一方の空間
Ｓ２ 他方の空間
【図１】
2018170811.tif 000003
【図２】
2018170811.tif 000004
【図３】
2018170811.tif 000005
【図４】
2018170811.tif 000006
【図５】
2018170811.tif 000007